(57)【要約】【課題】夜間において、高い視線誘導効果を得ることができることは勿論、故障することなく所定時間、発光が持続し、発光体の全長に亘って均一な発光量を得ることができ、しかも、夜間において、門扉の位置を容易に確認することが可能な発光体付き門扉を提供する。【解決手段】支柱１と、支柱１間に開閉可能に取り付けられた、縦線３と横線４とを格子状に組んだ門扉本体２とからなり、門扉本体２には、縦線３をリング状に折り曲げることにより形成された上胴縁５および下胴縁６を有する門扉において、上胴縁５および下胴縁６内に、コイル状の発光体が挿入され、発光体は、蓄光線材７からなっている。【選択図】図１
2016184491.tif 000002
【特許請求の範囲】
【請求項１】
支柱と、前記支柱間に開閉可能に取り付けられた、縦線と横線とを格子状に組んだ門扉本体とからなり、前記門扉本体には、前記縦線をリング状に折り曲げることにより形成された胴縁を有する門扉において、
前記胴縁内に、コイル状の発光体が前記胴縁に沿って挿入され、前記発光体は、蓄光線材からなっていることを特徴とする発光体付き門扉。
【請求項２】
前記胴縁は、上胴縁および下胴縁からなることを特徴とする、請求項１に記載の発光体付き門扉。
【発明の詳細な説明】
【技術分野】
【０００１】
この発明は、発光体付き門扉、特に、夜間において、優れた視線誘導効果と門扉の位置を容易に確認することが可能な機能を有する、発光体としての蓄光線材が取り付けられた門扉に関するものである。
【背景技術】
【０００２】
従来、視線誘導効果を高めた道路柵が特許文献１に開示されている。
【０００３】
以下、この道路柵を従来柵といい、図面を参照しながら説明する。
【０００４】
図５は、従来柵を示す部分正面図である。
【０００５】
図５に示すように、従来柵は、親柱１１と、中間柱１２と、中間柱１２間に配された横ビーム１３と、横ビーム１３間に配された縦ビーム１４と、手摺１５と、手摺１５に沿って取り付けられたチューブ状の発光体１６と、親柱１１内に設置された、発光体１６の光源１７と、電源１８とからなっている。
【０００６】
発光体１６は、光源１７から導光された光を出射することにより線状に発光する機能を有している。
【０００７】
発光体１６は、可撓性チューブと、この中に収容された、可撓性チューブよりも屈折率の高いコアとからなっている。
【０００８】
光源１７は、商用電源や太陽電池等の電源１８から給電されて発光するハロゲンランプ等からなっている。
【０００９】
このように、手摺１５に線状の発光体１６を取り付けることによって、特に、夜間において、高い視線誘導効果を得ることができる。
【先行技術文献】
【特許文献】
【００１０】
【特許文献１】特開平８−２４６４２６号公報
【特許文献２】特開２００２−１１８１８号公報
【発明の概要】
【発明が解決しようとする課題】
【００１１】
上記従来柵によれば、手摺１５に線状の発光体１６を取り付けることによって、特に、夜間において、高い視線誘導効果を得ることができるが、以下のような問題があった。
【００１２】
（ａ）発光体１６は、光源１７を必要とするので、何らかの原因で電源１８が故障した場合には、発光体１６の機能が発揮されない。
（ｂ）発光体１６は、光源１７から導光された光を出射することにより発光するものであるので、発光量が、発光体１６の全長に亘って均一でない。
【００１３】
従って、この発明の目的は、夜間において、高い視線誘導効果を得ることができることは勿論、故障することなく所定時間、発光が持続し、発光体の全長に亘って均一な発光量を得ることができ、しかも、夜間において、門扉の位置を容易に確認することが可能な発光体付き門扉を提供することにある。
【課題を解決するための手段】
【００１４】
この発明は、上記目的を達成するためになされたものであり、下記を特徴とするものである。
【００１５】
請求項１に記載の発明は、支柱と、前記支柱間に開閉可能に取り付けられた、縦線と横線とを格子状に組んだ門扉本体とからなり、前記門扉本体には、前記縦線をリング状に折り曲げることにより形成された胴縁を有する門扉において、前記胴縁内に、コイル状の発光体が前記胴縁に沿って挿入され、前記発光体は、蓄光線材からなっていることに特徴を有するものである。
【００１６】
請求項２に記載の発明は、請求項１に記載の発明において、前記胴縁は、上胴縁および下胴縁からなることに特徴を有するものである。
【発明の効果】
【００１７】
この発明によれば、夜間において、高い視線誘導効果を得ることができることは勿論、故障することなく所定時間、発光が持続し、発光体の全長に亘って均一な発光量を得ることができ、しかも、夜間において、門扉の位置を容易に確認することが可能となる。
【図面の簡単な説明】
【００１８】
【図１】この発明の発光体付き門扉を示す正面図である。
【図２】この発明の発光体付き門扉を示す部分切欠側面図である。
【図３】この発明の発光体付き門扉を示す部分切欠斜視図である。
【図４】コイル状の発光体を示す部分正面図である。
【図５】従来柵を示す部分正面図である。
【発明を実施するための形態】
【００１９】
この発明の発光体付き門扉の一実施態様を、図面を参照しながら説明する。
【００２０】
図１は、この発明の発光体付き門扉を示す正面図、図２は、この発明の発光体付き門扉を示す部分切欠側面図、図３は、この発明の発光体付き門扉を示す部分切欠斜視図である。
【００２１】
図１から図３において、１は、支柱、２は、支柱１間に開閉可能に取り付けられた門扉本体である。門扉本体２は、縦線３と横線４とを格子状に溶接により組み、上部および下部の縦線３をリング状（円形状）に折り曲げることにより上胴縁５と下胴縁６が形成されたものからなっている。リング状に折り曲げられた縦線３の内側には、複数本の横線４が配されている。
【００２２】
７は、発光体としてのコイル状に形成された蓄光線材である（図４参照）。蓄光線材７は、上胴縁５および下胴縁６内に沿ってそれぞれ挿入されている。
【００２３】
蓄光線材７は、鋼線に、例えば、特許文献２に開示されている蓄光性物質をコーティングしたものからなっている。蓄光性物質は、外部から光や紫外線等を受けると蓄光して、暗い所で発光する作用を有している。
【００２４】
このように、リング状の上胴縁５および下胴縁６内にコイル状に形成された蓄光線材７を挿入することにより、蓄光性物質が昼間は、蓄光し、夜間に発光するために、高い視線誘導効果が得られる。また、夜間において、門扉の位置を容易に確認することが可能となる。
【００２５】
しかも、蓄光線材７は、無電源で発光するために、故障することもなく、蓄光線材７の全長に亘って均一に発光する。
【００２６】
上記例は、上胴縁５および下胴縁６において、横線４がリング状に折り曲げられた縦線３内に配されたものであるが、横線４がリング状に折り曲げられた縦線３外に配されたものであっても良い。
【００２７】
以上のように、この発明によれば、夜間において、高い視線誘導効果を得ることができることは勿論、故障することなく所定時間、発光が持続し、発光体の全長に亘って均一な発光量を得ることができ、しかも、夜間において、門扉の位置を容易に確認することが可能となる。
【符号の説明】
【００２８】
１：支柱
２：門扉本体
３：縦線
４：横線
５：上胴縁
６：下胴縁
７：蓄光線材
１１：親柱
１２：中間柱
１３：横ビーム
１４：縦ビーム
１５：手摺
１６：発光体
１７：光源
１８：電源
【図１】
2016184491.tif 000003
【図２】
2016184491.tif 000004
【図３】
2016184491.tif 000005
【図４】
2016184491.tif 000006
【図５】
2016184491.tif 000007